(57)【要約】【目的】クリップに繰り返し外力が懸かってもクリップの取付け部（基部）ががたついたり、クリップが外れてしまう問題を改善する。【構成】軸体に設けられた取付け部に係合してなる筆記具のクリップの固定構造に於いて、クリップの基部には、上面に対し両側に垂直な側面が設けられ、上面の後端から前方に向かって切欠部が設けられて、更に基部側面の内側に一対の対向する下部折曲げ部が設けられており、一方、軸体の取付け部には、上方に横断面形状が略Ｔ字状を呈して天井部と上部心壁が形成され、その上部心壁の両側に溝が形成されて、更に下方に横断面形状が略Ｔ字状を呈して中間部と下部心壁が形成され、その下部心壁の両側にやはり溝が形成されており、前記クリップ上面の切欠部とその周縁が取付け部の上部心壁と溝に係合され、更にクリップ基部の下部折曲げ部が取付け部の下部心壁と溝に係合された状態で固定されてなる。【選択図】            図１１
2004223722.tif 000002
【特許請求の範囲】
【請求項１】
クリップ後端の基部を軸体の外面に突設して設けられた取付け部に係合してなる筆記具のクリップの固定構造に於いて、
前記クリップの基部には、上面に対し両側に垂直な側面が設けられ、上面の後端から前方に向かって切欠部が設けられて、更に基部側面の内側に一対の対向する下部折曲げ部が設けられており、一方、軸体の取付け部には、上方に横断面形状が略Ｔ字状を呈して天井部と上部心壁が形成され、その上部心壁の両側に溝が形成されて、更に下方に横断面形状が略Ｔ字状を呈して中間部と下部心壁が形成され、その下部心壁の両側にやはり溝が形成されており、前記クリップ上面の切欠部とその周縁が取付け部の上部心壁と溝に係合され、更にクリップ基部の下部折曲げ部が取付け部の下部心壁と溝に係合された状態で固定されてなる筆記具のクリップの固定構造。
【請求項２】
クリップの切欠部の周面または下部折曲げ部端部の何れか一方あるいは双方に係止凹凸部が形成され、取付け部の上部心壁または下部心壁あるいは双方に係合させてなる請求項１に記載の筆記具のクリップの固定構造。
【請求項３】
クリップの切欠部の周面または下部折曲げ部端部に形成された係止凹凸部に対応して係合する係止凹凸部が取付け部の上部心壁または下部心壁の両側に形成されてなる請求項２に記載の筆記具のクリップの固定構造。
【発明の詳細な説明】
【０００１】
【産業上の利用分野】
本発明は、樹脂成形品からなる筆記具の軸体等にクリップを固定する構造に関する。
【０００２】
【従来の技術】
【特許文献１】実公平７−５０２３６
【特許文献２】特開２００２−２８３７９１
従来、射出成形等からなる樹脂成形品の軸体等に別部材のクリップを簡便に固
定する手段として
【特許文献１】が知られている。このものは、通常は金属製のクリップの形態であり、クリップ片の箱形係合部下端の内側方向に設けられた折曲部をキャップ本体に突設した突状係合部の凹溝に係合させてクリップをキャップ本体に固定している。
また、同様に樹脂成形品の軸体に別部材のクリップを簡便に固定する手段とし
て
【特許文献２】が知られている。このものは、通常は樹脂製のクリップの形態であり、やはりクリップの係合突部が軸体の係合溝に係合されてクリップを軸体に固定している。
従来のクリップの固定構造では、クリップに繰り返し外力が懸かったり、温度変化や経時変化でクリップの取付け部（基部）ががたついたり、クリップが外れてしまう問題が存在する。
【０００３】
【発明が解決しようとする課題】
本発明は、上述した従来例の問題を解消すると共に、軸筒にクリップを取付けた時の見栄えを良くすることを課題とする。
【０００４】
【課題を解決するための手段】
本発明は、上記課題を達成する為に以下の構成を有する。
請求項１に記載の発明に係る筆記具のクリップの固定構造は、クリップ後端の基部を軸体の外面に突設して設けられた取付け部に係合してなる筆記具のクリップの固定構造に於いて、クリップの基部には、上面に対し両側に垂直な側面が設けられ、上面の後端から前方に向かって切欠部が設けられて、更に基部側面の内側に一対の対向する下部折曲げ部が設けられており、一方、軸体の取付け部には、上方に横断面形状が略Ｔ字状を呈して天井部と上部心壁が形成され、その上部心壁の両側に溝が形成されて、更に下方に横断面形状が略Ｔ字状を呈して中間部と下部心壁が形成され、その下部心壁の両側にやはり溝が形成されており、クリップ上面の切欠部とその周縁が取付け部の上部心壁と溝に係合され、更にクリップ基部の下部折曲げ部が取付け部の下部心壁と溝に係合された状態で固定されてなる。
【０００５】
請求項２に記載の発明に係る筆記具のクリップの固定構造は、請求項１に記載の筆記具のクリップの固定構造に於いて、クリップの切欠部の周面または下部折曲げ部端部の何れか一方あるいは双方に係止凹凸部が形成され、取付け部の上部心壁または下部心壁あるいは双方に係合させてなる。
【０００６】
請求項３に記載の発明に係る筆記具のクリップの固定構造は、請求項２に記載の筆記具のクリップの固定構造に於いて、クリップの切欠部の周面または下部折曲げ部端部に形成された係止凹凸部に対応して係合する係止凹凸部が取付け部の上部心壁または下部心壁の両側に形成されてなる。
【０００７】
【実施例】
筆記具のデザイン仕様の１つとして射出成形等からなる樹脂成形品の軸体、天冠、クリップ、機構部、その他飾りなどを複雑な形状や透明、着色透明、種々の色などを組み合わせて構成することが人気となっている。
本発明は、上記のようなデザイン仕様を満足させると共に上述した従来技術による問題点を克服する筆記具のクリップの固定構造を提案するものである。
図１に示す実施例の軸体２は、ボールペン等筆記具の筆記先端部を被覆して取り付けられるキャップの形態を示しているが、本発明の意図する軸体はボールペンやサインペンなどの一般的な筆記具に使用される軸筒やキャップである。
【０００８】
以下、図面に基づき本発明の一実施例について説明する。
図９乃至図１２はクリップの形態を示している。クリップ３は、クリップ片３ａの前端内面側に玉部３ｂを有し、後端に基部３ｃを有している。基部３ｃには、上面３ｄに対し両側に垂直（箱形）の側面部が設けられている。
また、上面３ｄの後端から前方に向かって切欠部３ｆが設けられると共に、端面３ｈ前方の切欠部周面に係止凹凸部３ｇが形成されている。
係止凹凸部３ｇは、後述する軸筒の材質やクリップの取付け部の形状に合わせて、装着が容易で、且つ強固な固定が期待できる形状が設定される。
クリップ３が金属製の場合には、実施例に示される凹凸形状や鋸刃状の凹凸部が形成され、クリップ片の材質や板厚等を勘案して係合代となる凹凸部の寸法が設定される。また、クリップ３が樹脂製の場合には、実施例に示される凹凸形状に限定されず、装着性や固定性を配慮して設定される。
【０００９】
また、更に基部側面の内側に一対の対向する下部折曲げ部３ｅが設けられると共にその端部に係合凹凸部３ｉが形成されている。
この係合凹凸部３ｉも軸筒の材質やクリップの取付け部の形状に合わせて、装着が容易で、且つ強固な固定が期待できる形状が設定される。
また、クリップ３が金属製の場合には、実施例に示される凹凸形状や鋸刃状の凹凸部が形成され、クリップ片の材質や板厚等を勘案して係合代となる凹凸部の寸法が設定される。また、クリップ３が樹脂製の場合には、実施例に示される凹凸形状に限定されず、装着性や固定性を配慮して設定される。
【００１０】
図２乃至図４は、軸体２にクリップ３を固着し、且つ軸体頭部に天冠４を固定したキャップ（完成品）を示している。図５は軸体のクリップの取付け部２ａの側面形状を拡大して示した図である。また、図６は図５の溝２ｆに沿って断面し、その上部より見た拡大図である。（Ａ−Ａ線断面図）また、図７は図５の中間部２ｉに沿って断面し、その上部より見た拡大図である。（Ｂ−Ｂ線断面図）また、図８は図５の溝２ｎに沿って断面し、その上部より見た拡大図である。（Ｃ−Ｃ線断面図）また、図１３は軸体２にクリップ３を取付けた状態でクリップの基部３ｃの位置で軸体ごと横断面した図を示している。
【００１１】
軸体２は樹脂成形品で、後方外面の一側にクリップの取付け部２ａが一体に突設して設けられている。尚、軸体をダイキャスト製としたり、軸体を金属製の筒体に別体の取付け部を固着することで得ることも可能である。
【００１２】
図１３に示されるように、軸体の取付け部２ａには、上方に横断面形状が略Ｔ字状を呈した天井部２ｂと上部心壁２ｃが形成され、上部心壁２ｃの後端に当接部２ｈが設けられている。また上部心壁２ｃの両側に天井部２ｂの内段となる上部心壁部の上壁２ｄと上部心壁部の下壁部２ｅとの間で溝２ｆが形成され、更に上部心壁２ｃの両側面に係止凹凸部２ｇが形成されている。
【００１３】
また更に、軸体の取付け部２ａには、上部心壁２ｃに接続して下方に横断面形状が略Ｔ字状を呈した上記天井部２ｂより大きな中間部２ｉと下部心壁２ｊが形成され、その下部心壁２ｊの両側にやはり溝２ｎが形成されて、更に下部心壁２ｊの両側面に係止凹凸部２ｌが形成されている。
【００１４】
尚、上記係止凹凸部２ｇ及び係止凹凸部２ｌは必ずしも形成されない。クリップが樹脂製である場合にはクリップ側に設けられた係止凹凸部が噛合うように係合して、係合部に過度の応力を懸けないで固定する有効な手段として用いられるが、クリップが金属製の場合にはクリップの係止凹凸部を心壁部に食いつかせることでクリップ基部や軸体取付け部に加わる過度の変形を避けることが望ましい場合もある。また、相互に設けられた係止凹凸部の高低差を微小にして多数設け、係合精度を上げることも可能である。
【００１５】
また、クリップ３が金属製の場合にはクリップの係止凹凸部３ｇ及び係止凹凸部３ｉは必ずしも形成されない。クリップの板厚が薄い場合、クリップを堅固に固定したい場合などでは係止凹凸部を設けることが望ましい。
尚、クリップの係止凹凸部３ｇ及び係止凹凸部３ｉは何れか一方に形成されるものであっても良い。
【００１６】
クリップ３は、後端の切欠部３ｆを軸体の取付け部２ａの上部心壁２ｃに嵌挿する状態で軸体に装着され、クリップの端面３ｈが取付け部２ａの当接部２ｈに当接し、クリップの係止凹凸部３ｇと取付け部の係止凹凸部２ｇが係合すると共にクリップ基部上面の切欠部３ｆの周縁が軸体取付け部の溝２ｆに係止され、更にクリップの下部折曲げ部３ｅの係止凹凸部３ｉと取付け部の係止凹凸部２ｌが係合した状態で固定される。
【００１７】
また、溝２ｆの溝幅に対してクリップ基部上面の切欠部周縁厚みは略同等に形成されるが、溝２ｆの長手方向で溝２ｆを形成する上部心壁部の上壁２ｄあるいは上部心壁部の下壁２ｅの所要箇所に凸部を形成して、その部位の溝幅をクリップの切欠部周縁厚みに対し適宜小さくして、クリップの切欠部周縁と溝２ｆとの係止を強化することができる。
また、クリップの切欠部周縁の所要箇所をクリップの上面３ｄに対し微小で上側又は下側に変形あるいは上下交互に変形させて、クリップの切欠部周縁と溝２ｆとの係止を強化することも可能である。
また、同様のことを溝２ｎとクリップの下部折曲げ部３ｅとの間に設けてクリップの下部折曲げ部３ｅと溝２ｎとの係止を強化することも可能である。
【００１８】
また、軸体の取付け部２ａの天井部２ｂは、クリップ３の切欠部３ｆを完全に覆った状態に設けられ、クリップ後端の上面３ｄに突出して装飾性を有した様々な形状を具現することが可能となる。
【００１９】
【作用】
以上のように、本発明に示されるクリップは、基部上面の後端から前方に向かって設けられた切欠部と、基部側面の内側に一対の対向する下部折曲げ部が設けられ、一方、軸体の取付け部には、上方に横断面形状が略Ｔ字状を呈して天井部と上部心壁が形成され、その上部心壁の両側に溝が形成されて、更に下方に横断面形状が略Ｔ字状を呈して中間部と下部心壁が形成され、その下部心壁の両側にやはり溝が形成されて、クリップ上面の切欠部とその周縁が取付け部の上部心壁と溝に係合され、更にクリップ基部の下部折曲げ部が取付け部の下部心壁と溝に係合された２箇所で固定されるので、クリップに繰り返し外力が懸かってもクリップの取付け部（基部）ががたついたり、クリップが外れてしまう問題が改善される。また、２箇所で係合されることによって、一箇所の係合を軽減でき、クリップの取付けが容易化すると共に無理な取付けによる不良も減少し、且つ温度変化や経時変化でクリップの固定部が緩む問題も改善される。
【００２０】
【発明の効果】
クリップに繰り返し外力が懸かってもクリップの取付け部（基部）ががたついたり、クリップが外れてしまう問題が改善される。また、クリップの取付けが容易化すると共に無理な取付けによる不良も減少し、温度変化や経時変化でクリップの固定部が緩む問題も改善される。
また、取付け部の天井部がクリップ後端の上面に突出して、様々な装飾性を有した形状が具現化可能となる。
【図面の簡単な説明】
【図１】本発明の筆記具のクリップの固定構造を用いた筆記具の一実施例を示す半断面図である。（軸体２は透明樹脂）
【図２】図１に示す実施例のキャップの断面図である。
【図３】図１に示す実施例のキャップの側面図である。
【図４】図１に示す実施例のキャップの正面図である。
【図５】発明の要旨となる軸体のクリップ取付け部の側面を拡大して示した図である。
【図６】図５に示されるＡ−Ａ線に沿って断面し、その上部から見た拡大図である。
【図７】図５に示されるＢ−Ｂ線に沿って断面し、その上部から見た拡大図である。
【図８】図５に示されるＣ−Ｃ線に沿って断面し、その上部から見た拡大図である。
【図９】発明の要旨となるクリップの側面図である。
【図１０】クリップの正面図である。
【図１１】クリップの裏面図である。
【図１２】クリップの切欠部側から見た拡大図である。
【図１３】クリップを取付けた状態の軸体をクリップ基部の位置で横断面した図である。
【符号の説明】
１          筆記具
２          軸体
２ａ      取付け部
２ｂ      天井部
２ｃ      上部心壁
２ｄ      上部心壁部の上壁
２ｅ      上部心壁部の下壁
２ｆ      溝
２ｇ      係止凹凸部
２ｈ      当接部
２ｉ      中間部
２ｊ      下部心壁
２ｋ      当接部
２ｌ      係止凹凸部
２ｍ      軸体周面
２ｎ      溝
３        クリップ
３ａ      クリップ片
３ｂ      玉部
３ｃ      基部
３ｄ      上面
３ｅ      下部折曲げ部
３ｆ      切欠部
３ｇ      係止凹凸部
３ｈ      端面
３ｉ      前端
４        天冠
【図１】
2004223722.tif 000003
【図２】
2004223722.tif 000004
【図３】
2004223722.tif 000005
【図４】
2004223722.tif 000006
【図５】
2004223722.tif 000007
【図６】
2004223722.tif 000008
【図７】
2004223722.tif 000009
【図８】
2004223722.tif 000010
【図９】
2004223722.tif 000011
【図１０】
2004223722.tif 000012
【図１１】
2004223722.tif 000013
【図１２】
2004223722.tif 000014
【図１３】
2004223722.tif 000015